(57)【要約】【課題】ステープルや粘着テープ等の固定用副資材を使用せずに封緘を行うことができ、封緘が緩み難い段ボール箱を提供する。【解決手段】内フラップ５およびその外側に重なる外フラップ４からなる開閉面と、この開閉面の周縁から連続する非開閉面とを有し、外フラップ４にスリットＳが形成されるとともに、非開閉面に手掛け孔９が形成されており、内フラップ５の一部が、スリットＳを通して外フラップ４の外側に引き出され且つ外フラップ４の外面を押さえつつ非開閉面に至るように折り曲げられて手掛け孔９に差し込まれることにより、開閉面が封緘されるように構成されているダンボール箱１とする。【選択図】図１
2008162639.tif 000002
【特許請求の範囲】
【請求項１】
内フラップおよびその外側に重なる外フラップからなる開閉面と、この開閉面の周縁から連続する非開閉面と、を有するダンボール箱において、
前記外フラップに挿通部が形成されるとともに、前記非開閉面に固定孔が形成されており、
前記内フラップの一部が、前記挿通部を通して前記外フラップの外側に引き出され且つ前記外フラップの外面を押さえつつ前記非開閉面に至るように折り曲げられて前記固定孔に差し込まれることにより、前記開閉面が封緘されるように構成されている、
ことを特徴とするダンボール箱。
【請求項２】
左右一対の端壁と、前後一対の側壁とからなる四角筒状の非開閉面と、
各前記端壁の上縁から延出された内フラップ、および各前記側壁の上縁から延出された外フラップからなり、内フラップの外側に外フラップが重ねられた状態で封緘されるように構成された上開閉面と、
各前記端壁の下縁から延出された内フラップ、および各前記側壁の下縁から延出された外フラップからなり、内フラップの外側に外フラップが重ねられた状態で封緘されるように構成された下開閉面と、を有するダンボール箱において、
各前記端壁に固定孔が形成されており、
上開閉面および下開閉面の少なくとも一方において、各前記外フラップに、各前記内フラップの一部が挿し通される挿通部が形成されるとともに、各前記内フラップの一部が、前記挿通部を通して各前記外フラップの外側に引き出され且つその内フラップの延出元の端壁側に至るように折り曲げられて前記固定孔に差し込まれることにより封緘されるように構成されている、
ことを特徴とするダンボール箱。
【請求項３】
前記挿通部が形成される一対の外フラップは、前記封緘状態で互いの先端縁の全体が突き合わさるように構成されており、
前記挿通部は、前記封緘状態で両外フラップにわたるように前後方向に沿って延在するスリットであり、このスリットが前記外フラップの左右方向両側にそれぞれ形成されており、
前記封緘状態で、前記内フラップの一部が前記スリット内における両外フラップにわたる範囲に挿通されるように構成されている、請求項２記載のダンボール箱。
【請求項４】
前記外フラップの外側に引き出される各前記内フラップの一部は、前記封緘状態で互いの先端縁の全体が離間するように構成されており、
前記挿通部が形成される一対の外フラップは、前記封緘状態において互いの先端縁が左右方向両端部では突き合わさるとともにその間に位置する左右方向中間部では離間するように、左右方向中間部における先端縁が凹状に切り欠かれており、前記離間する部分により前記挿通部が形成されている、請求項２記載のダンボール箱。
【請求項５】
前記挿通部が形成される一対の外フラップは、前記封緘状態において互いの先端縁の全体が突き合わさるように構成されており、
前記挿通部は切り起しにより形成されており、切り起しに挿通される内フラップの一部が切り起しの起立方向と反対側に折り返されるように構成されている、請求項２記載のダンボール箱。
【請求項６】
前記固定孔は、各前記端壁に形成された手掛け孔である、請求項１〜５のいずれか１項に記載のダンボール箱。
【請求項７】
各前記内フラップは、フラップの一部をフラップの先端側からフラップの基端側に起立させる切り起しフラップを有し、この切り起しフラップが前記挿通部を通して前記固定孔に差し込まれることにより、前記封緘が行われるように構成されている、請求項１〜６のいずれか１項に記載のダンボール箱。
【発明の詳細な説明】
【技術分野】
【０００１】
本発明は、ダンボール箱に関するものであり、より詳細には、ステープルや粘着テープ等の固定用副資材を使用せずに封緘を行うダンボール箱に関するものである。
【背景技術】
【０００２】
このようなステープルや粘着テープ、接着剤等の固定用副資材を使用せずに封緘を行うダンボール箱は、ノンステープルあるいはステープルレスとも呼ばれており、青果物や電気製品等を梱包するダンボールとして用いられている。ノンステープルタイプのダンボール箱は、ステープル等を使用しないため作業性が向上する、ゴミが発生しない、ステープルにより梱包対象を傷つけることがない等の利点を有する。
ノンステープルタイプのダンボール箱の従来例としては、特許文献１や特許文献２に記載されたものを挙げることができる。これらの例からも判るように、従来のものは、内フラップ及び外フラップのうち一方を他方に差し込むことで連結するものであった。
【特許文献１】特開２００３−３４１６５５号公報
【特許文献２】特開２００１−２７８２４４号公報
【発明の開示】
【発明が解決しようとする課題】
【０００３】
しかし、従来のノンステープルタイプのダンボール箱は、内フラップと外フラップとの連結部における差し込みが緩んで外れ易いという問題点があった。
そこで、本発明の主たる課題は、ステープルや粘着テープ等の固定用副資材を使用せずに封緘を行うことができ、封緘が緩み難い段ボール箱を提供することにある。
【課題を解決するための手段】
【０００４】
上記課題を解決した本発明は次記のとおりである。
＜請求項１記載の発明＞
内フラップおよびその外側に重なる外フラップからなる開閉面と、この開閉面の周縁から連続する非開閉面と、を有するダンボール箱において、
前記外フラップに挿通部が形成されるとともに、前記非開閉面に固定孔が形成されており、
前記内フラップの一部が、前記挿通部を通して前記外フラップの外側に引き出され且つ前記外フラップの外面を押さえつつ前記非開閉面に至るように折り曲げられて前記固定孔に差し込まれることにより、前記開閉面が封緘されるように構成されている、
ことを特徴とするダンボール箱。
【０００５】
（作用効果）
従来のノンステープルタイプのダンボール箱は、内フラップ及び外フラップがともに開閉する部分であり、動き易いものであったため、差し込み部分が緩み易くなっていた。本発明はかかる知見に基づいてなされたものであって、開閉部分を相互に連結するという従来の発想から離れ、内フラップの一部を外フラップの挿通部に通してから非開閉面の固定孔に差し込み封緘するように構成したところに特徴を有するものである。封緘状態では、外フラップは内フラップにより押さえ付けられるため、内フラップ及び外フラップは互いに動きを拘束するようになり、また外フラップの動きが内フラップに伝わり難くなる。また、内フラップの一部を差し込む部分は非開閉面であり、動き難い。その結果、本発明では従来よりも封緘が緩み難くなる。
【０００６】
＜請求項２記載の発明＞
左右一対の端壁と、前後一対の側壁とからなる四角筒状の非開閉面と、
各前記端壁の上縁から延出された内フラップ、および各前記側壁の上縁から延出された外フラップからなり、内フラップの外側に外フラップが重ねられた状態で封緘されるように構成された上開閉面と、
各前記端壁の下縁から延出された内フラップ、および各前記側壁の下縁から延出された外フラップからなり、内フラップの外側に外フラップが重ねられた状態で封緘されるように構成された下開閉面と、を有するダンボール箱において、
各前記端壁に固定孔が形成されており、
上開閉面および下開閉面の少なくとも一方において、各前記外フラップに、各前記内フラップの一部が挿し通される挿通部が形成されるとともに、各前記内フラップの一部が、前記挿通部を通して各前記外フラップの外側に引き出され且つその内フラップの延出元の端壁側に至るように折り曲げられて前記固定孔に差し込まれることにより封緘されるように構成されている、
ことを特徴とするダンボール箱。
【０００７】
（作用効果）
本項記載の発明は、一般的な六面体状の段ボール箱を対象としたものであり、左右両側のそれぞれにおいて内フラップの一部が外フラップの外側に折り返されて端壁に差し込まれることを特徴したものである。この場合、構造及び外観が簡素となる、内フラップの折り返し距離が短くて済む等の利点がもたらされる。
なお、本発明における、前・後・上・下・左・右とは、封緘状態において一方の外フラップが延出される一方の側壁を前（正面）とした方向を意味し、発明の説明の便宜上定めたものであって、製品として使用される際の方向を意味するものではない。
【０００８】
＜請求項３記載の発明＞
前記挿通部が形成される一対の外フラップは、前記封緘状態で互いの先端縁の全体が突き合わさるように構成されており、
前記挿通部は、前記封緘状態で両外フラップにわたるように前後方向に沿って延在するスリットであり、このスリットが前記外フラップの左右方向両側にそれぞれ形成されており、
前記封緘状態で、前記内フラップの一部が前記スリット内における両外フラップにわたる範囲に挿通されるように構成されている、請求項２記載のダンボール箱。
【０００９】
（作用効果）
本項記載の発明は、挿通部の好適な形態に係るものであり、左右各側において、単一の内フラップで両外フラップを押さえることができ、簡素な構造及び外観で封緘できるようになる。
【００１０】
＜請求項４記載の発明＞
前記外フラップの外側に引き出される各前記内フラップの一部は、前記封緘状態で互いの先端縁の全体が離間するように構成されており、
前記挿通部が形成される一対の外フラップは、前記封緘状態において互いの先端縁が左右方向両端部では突き合わさるとともにその間に位置する左右方向中間部では離間するように、左右方向中間部における先端縁が凹状に切り欠かれており、前記離間する部分により前記挿通部が形成されている、請求項２記載のダンボール箱。
【００１１】
（作用効果）
本項記載の発明は、青果梱包用ダンボールで見られる上開閉面が完全に密閉されないタイプにおける挿通部の好適な形態に係るものである。左右方向中間部において外フラップの先端縁が離間しており、この離間部分は青果物の露出や突出を許容する部分となるとともに、この離間する部分が内フラップの一部の挿通部として利用されるようになっている。両外フラップの先端縁は左右方向両端部では突き合わさるようになっているため、左右方向中間の離間する部分から引き出され、折り返された内フラップの一部によって、両外フラップの左右方向両端部を押さえることができる。よって、この場合にも簡素な構造及び外観で封緘できるようになる。
【００１２】
＜請求項５記載の発明＞
前記挿通部が形成される一対の外フラップは、前記封緘状態において互いの先端縁の全体が突き合わさるように構成されており、
前記挿通部は切り起しにより形成されており、切り起しに挿通される内フラップの一部が切り起しの起立方向と反対側に折り返されるように構成されている、請求項２記載のダンボール箱。
【００１３】
（作用効果）
本項記載の発明は、挿通部の好適な形態に係るものであり、特に作業性を低下させずに、梱包内へのゴミ混入を防止するための形態に係るものである。本項記載のように所定の向きに切り起しを形成し、これを挿通部とすることにより、挿通時には切り起しを起立させておくことで作業性が良好となり、その後は切り起しを寝かせることで、切り起しが内フラップの一部の挿通部を閉塞する蓋として機能するようになる。よって、作業性を低下させずに、外フラップに挿通部を設けることに起因した梱包内へのゴミ混入を抑制することができる。また、構造及び外観が簡素で好ましいものとなる。
【００１４】
＜請求項６記載の発明＞
前記固定孔は、各前記端壁に形成された手掛け孔である、請求項１〜５のいずれか１項に記載のダンボール箱。
【００１５】
（作用効果）
段ボール箱は、運搬時に両手を挿入するための手掛け孔（把手孔とも呼ばれる）が、各端壁に設けられることが多い。そこで、本項記載の発明では、内フラップの一部の固定用の固定孔を別途設けることなく、手掛け孔と兼用しようとするものである。手掛け孔は、手を挿入する部分であるため、梱包物を位置させないように梱包するのが通常であり、また内容物の位置を手探り又は目視によって確認することができるため、従来のものよりも内容物を傷つけ難くなるという利点がある。また、上開閉面に本発明の封緘を適用する場合、手掛け孔に挿入した内フラップの一部を、手掛け孔の上縁と手との間に挟んで持つことにより、運搬時に内フラップを強固に固定でき、また手掛け孔の切断面に直接手が触れないため、手掛け孔によって手指が傷付くのを防止できる。
【００１６】
＜請求項７記載の発明＞
各前記内フラップは、フラップの一部をフラップの先端側からフラップの基端側に起立させる切り起しフラップを有し、この切り起しフラップが前記挿通部を通して前記固定孔に差し込まれることにより、前記封緘が行われるように構成されている、請求項１〜６のいずれか１項に記載のダンボール箱。
【００１７】
（作用効果）
このように構成されていると、内フラップにおける切り起しフラップ以外の部分は起立線よりも突出して外フラップと重なるため、内フラップを折り返すとしても左右方向における内フラップと外フラップとの重なり部分を十分に確保することができる。
【発明の効果】
【００１８】
以上のとおり本発明によれば、ステープルや粘着テープ等の固定用副資材を使用せずに封緘を行うことができ、封緘が緩み難い段ボール箱となる等の利点がもたらされる。
【発明を実施するための最良の形態】
【００１９】
以下、本発明の実施形態について添付図面を参照しつつ説明する。
＜第１の実施形態＞
図１〜図４は、本発明に係るダンボール箱１の第１の実施形態を示している。このダンボール箱１は封緘状態で直方体状をなすものであり、左右一対の端壁３と、前後一対の側壁２とからなる四角筒状の非開閉面と、各端壁３の上縁から延出された内フラップ５、および各側壁２の上縁から延出された外フラップ４からなり、両内フラップ５の外側に両外フラップ４が重ねられた状態で封緘されるように構成された上開閉面Ｕと、各端壁３の下縁から延出された内フラップ７、および各側壁２の下縁から延出された外フラップ６からなり、両内フラップ７の外側に両外フラップ６が重ねられた状態で封緘されるように構成された下開閉面Ｂと、を有している。
【００２０】
両端壁３には、その前後方向中央かつ上下方向中央より若干上側に、前後方向に延在する長孔状の手掛け孔９が打ち抜かれている。符号８は、側壁２の側部と端壁３の側部とを連結するための糊代片を示している。この糊代片８により一方の側壁２とこれに隣接する端壁３とを連結することにより、四角筒状の非開閉面が形成される。また、図中の点線および一点鎖線は折り曲げのための罫線を示している（他の実施形態に同じ）。
【００２１】
各開閉面Ｕ，Ｂの一対の外フラップ４、６は、開閉面を前後方向中央線において二分割した寸法形状に実質的に等しい長方形をなし、その側壁２からの延出長さ（前後方向長さ）Ｌ２は開閉面の前後方向長さＬ１（又は端壁の前後方向長さ）の半分に実質的に等しく、封緘状態で互いの先端縁の全体が突き合わさるように構成されている。
【００２２】
各内フラップ５，７は長方形をなしており、開閉面の前後方向長さＬ１（又は端壁の前後方向長さ）に実質的に等しい前後方向長さＬ３をもって、外フラップ４、６と同じ延出長さ（左右方向の長さ）Ｌ２だけ端壁３から延出している。図示形態の場合、上下各開閉面Ｕ，Ｂにおける一対の内フラップ５，７は、封緘状態においても互いの先端縁の全体が左右方向に離間する。
【００２３】
そして、第１の実施形態では、以上の構成を基本として、上開閉面Ｕにおいて、両外フラップ４に、両内フラップ５の一部が挿し通される挿通部が形成されている。より具体的には、各外フラップ４の左右方向両端部における両端から所定距離離間した位置に、先端縁から前後方向中間部まで延在する細長凹状の切欠１１がそれぞれ形成されている。両外フラップ４の切欠１１の位置は前後方向中央線に関して対称をなしており、封緘状態では両外フラップ４にわたるように前後方向に沿って延在するスリットＳが、上開閉面における左右方向両端部にそれぞれ形成されるようになる。このスリットＳが本発明の挿通部をなすものであり、そのスリット幅Ｓｗは、梱包の密閉性の観点からは内フラップ５の厚さ以下とするのが好ましいが、作業の容易性の観点からは内フラップ５の厚さより広くするのが好ましく、スリット長さ（前後方向）Ｓｙは手掛け孔９の前後方向長さ９ｗと同じかそれよりも長くするのが好ましい。
【００２４】
また、各内フラップ４は、フラップの一部をフラップの先端側からフラップの基端側に起立させる切り起しフラップ１０を有する。より詳細には、この切り起しフラップ１０は、所定の前後方向幅をもって、内フラップ４の前後方向中央に沿い、内フラップ４の基端より所定距離１０ｄだけ先端側に離間した位置から内フラップ４の先端側に所定長さ延在している。切り起しフラップ１０は、先端部が手掛け孔９の前後方向長さ９ｗより若干幅の広い広幅部１０ａとされ、これよりも基端側は、手掛け孔９の前後方向長さ９ｗ以下の幅１０ｗを有する本体部１０ｂとされている。切り起しフラップ１０の基端と内フラップ５の基端との離間距離１０ｄは、外フラップ４における切欠１１とこれに隣接する左右方向端との離間距離１０ｄに合わせられている。切り起しフラップ１０の長さは、後述の封緘に際して先端部１０ａが手掛け孔９に掛止しうる範囲で適宜定めることができる。
【００２５】
切り起しフラップ１０の本体部１０ｂには、その基端の他、基端から、切り起しフラップ１０の基端と内フラップ５の基端との離間距離１０ｄに等しい距離だけ先端側に離間した位置に第１の折り曲げ罫線１０ｍが付されるとともに、さらにこの第１の折り曲げ罫線１０ｍから、切り起しフラップ１０の基端（又はスリットＳの左右方向外側端）と手掛け穴９との離間距離９ｙに等しい距離だけ先端側に離間した位置に第２の折り曲げ罫線１０ｎが付されている。これらの罫線１０ｍ、１０ｎは、現実にはダンボール素材の厚さ分だけ離間した平行な二本の罫線とするのが好ましい。また、この形態では、切り起しフラップ１０の先端は内フラップ５の先端まで達していない。
【００２６】
かくして構成された段ボール箱１では、封緘に際して、上開閉面の両内フラップ５を内側に折り畳み、次いでその上に両外フラップ４を折り畳む点では従来と同様であるが、この際、図４にも示されるように、両内フラップ５の切り起しフラップ１０をそれ以外の部分から起して、これを外フラップ４の左右方向両側に位置するスリットＳにそれぞれ通して外フラップ４の外側に引き出し、しかる後、外側に引き出した切り起しフラップ１０を左右方向外側（最寄の端壁側）に折り曲げ、更に端壁３に沿うように折り曲げた後、その先端部を手掛け孔９，９に差し込み固定する。この状態では、外側に引き出された各切り起しフラップ１０は、両外フラップ４の左右方向両端部を押さえつけて固定するようになる。内フラップ５における切り起しフラップ１０以外の部分は切り起しフラップ１０の基端よりも左右方向中央側に突出して外フラップ４と重なるため、切り起しフラップ１０を折り返すとしても左右方向における内フラップ５と外フラップ４との重なり部分は従来同様に十分に確保される。
【００２７】
切り起しフラップ１０の先端部は手掛け孔９よりも広幅に形成されており、挿入時には手掛け孔９以下まで撓むが、箱内に挿入された後で復元し、手掛け孔９に掛け止められる。手掛け孔９は、手を挿入する部分であるため、梱包物を位置させないように梱包するのが通常であり、また内容物の位置を手探り又は目視によって確認することができるため、切り起しフラップ１０を挿入するとしても、内容物を傷つけ難くなる。また、手掛け孔９に挿入した切り起しフラップ１０を、手掛け孔９の上縁と手との間に挟んで持つことにより、運搬時に内フラップ５を強固に固定でき、また手掛け孔９の切断面に直接手が触れないため、手掛け孔９によって手指が傷付くのを防止できる。
【００２８】
一方、下開閉面の内フラップ５および外フラップ４においては、上開閉面のようなスリットＳや切り起しフラップ１０は形成されていないため、ステープルや粘着テープ、接着剤等の固定用副資材を用いて行うことができる。
【００２９】
＜第２の実施形態＞
図５〜図７は第２の実施形態を示しており、青果梱包用ダンボールで見られる上開閉面が完全に密閉されないタイプにおける好適な形態に係るものである。すなわち、基本構成は第１の実施形態と同様であるが、上開閉面における一対の外フラップ４は、封緘状態において互いの先端縁が左右方向両端部４ｓでは突き合わさるとともにその間に位置する左右方向中間部４ｃでは離間するように、左右方向中間部４ｃにおける先端縁１２が凹状に切り欠かれており、この離間する部分１２Ｓが内フラップ５の挿通部とされている点で異なる。この場合、切り起しフラップ１０の基端と内フラップ５の基端との離間距離は、外フラップ４の両端部４ｓの左右方向長さに合わせられている。また、本第２の実施形態では、内フラップ５の切り起しフラップ１０の先端が内フラップ５の先端に合わされており、両外フラップ４の離間部分１２Ｓに、内フラップ５の先端が露出しないように構成されている。
【００３０】
そして、本第２の実施形態の段ボール箱では、封緘状態においては対向する外フラップ４の先端縁が左右方向中間部４ｃで離間しており、この離間部分１２Ｓは青果物の露出や突出を許容する部分となるとともに、この離間部分１２Ｓが内フラップ５の切り起しフラップ１０の挿通部として利用される。図７にも示されるように、両外フラップ４の先端縁は左右方向両端部４ｓでは突き合わさるようになっているため、左右方向中間４ｃの離間部分１２Ｓから引き出され、折り返された内フラップ５によって、両外フラップ４の左右方向両端部４ｓを押さえることができる。
【００３１】
＜第３の実施形態＞
第１の実施形態では、外フラップ４におけるスリットＳのサイズを可能な限り小さくする、具体的には内部に挿通される内フラップ５の切り起しフラップ１０の寸法以下にすることにより、挿通部を介したゴミの混入を防ぐことができるが、その場合、内フラップ５の切り起しフラップ１０を外フラップ４に通し難くなり、作業性が低下する。反対に、スリットＳのサイズを大きくすれば作業性は向上するが、ゴミが混入し易くなる。本第３の実施形態はこのような問題点に鑑みてなされたものである。
すなわち第３の実施形態は、図８〜図１０に示されるように、第１の実施形態のスリットＳに変えて、切り起し片１３ｆの起立方向が左右方向中央側となる切り起し１３を形成したものである。
【００３２】
より詳細には、封緘状態の上開閉面において、両端から所定距離１０ｄ離間した位置に、前後方向に沿って両外フラップ４にわたり延在する矩形の切り起し範囲をそれぞれ設定し、各矩形範囲のうち左右方向中央側の辺に相当する位置を起立基端１３ｒとして残し、他の三辺を切断している。切り起し範囲の幅（左右方向）Ｆｘは、内フラップ５の切り起しフラップ１０の厚さより大きく、特に２倍以上とするのが好ましく、切り起し範囲の長さ（前後方向）Ｆｙは手掛け孔９の前後方向長さ９ｗと同じかそれよりも長くするのが好ましい。その他は基本的に第１の実施形態と同様である。
【００３３】
かくして構成された段ボール箱では、切り起し片１３ｆを左右方向中央側に起立させることで十分に大きな挿通部を形成した状態で、内フラップ５の切り起しフラップ１０を挿通させることができる。よって作業性が低下し難い。しかも、封緘後では、図１０に示されるように、内フラップ５が切り起し片１３ｆの起立方向と反対側に折り返されているため、切り起し片１３ｆを寝かせて蓋をすることができる。よって、梱包内へのゴミ混入を抑制することができる。なお、切り起し片１３ｆを寝かせる際、図示例のように、切り起し片１３ｆを元の位置まで、つまり外フラップ５の他の部分と同一面をなすように押し込んでも良いし、押し込まずに、切り起しフラップ１０の上に被せるだけでも良い。
【００３４】
＜他の実施形態＞
（イ）上記実施形態では、直方体状の段ボール箱の例を示したが、本発明はこれに限定されるものではなく、立方体状であっても、またその他の立体形状であっても良い。要は、内フラップの一部が、外フラップの挿通部を通して外フラップの外側に引き出され且つ外フラップの外面を押さえつつ非開閉面に至るように折り曲げられ、非開閉面の固定孔に差し込まれることにより、開閉面が封緘されれば良い。
（ロ）上記実施形態では、外フラップに挿通する部分として、内フラップ５に切り起しフラップを１０設けたが、内フラップの先端部を凸状に形成し、これを外フラップに挿通させるように構成しても良い。この場合、
（ハ）上記実施形態と異なり、外フラップ４のそれぞれに挿通部を独立して設け、これに対応させて各挿通部に挿通される部分を一つの内フラップにそれぞれ独立して設けることができる。
（ニ）上記実施形態では、手掛け孔９が内フラップ５の差し込み用の固定孔を兼ねる構成としたが、手掛け孔９とは別に、又は手掛け孔９を設けずに、内フラップを差し込むための専用の固定孔を設けても良い。
（ホ）上記実施形態では、上開閉面のみ本発明の封緘を適用し、下開閉面については従来同様の、ステープルや粘着テープ、接着剤等の固定用副資材による封緘を採用しているが、下開閉面においても上開閉面と同様に本発明の封緘を適用することができる。
【産業上の利用可能性】
【００３５】
本発明は、ダンボール箱に適用できるものである。
【図面の簡単な説明】
【００３６】
【図１】第１の実施形態の展開図である。
【図２】第１の実施形態の内フラップ部の拡大図である。
【図３】第１の実施形態の封緘状態を示す斜視図である。
【図４】第１の実施形態の要部縦断面図である。
【図５】第２の実施形態の展開図である。
【図６】第２の実施形態の封緘状態を示す斜視図である。
【図７】第２の実施形態の要部縦断面図である。
【図８】第３の実施形態の展開図である。
【図９】第３の実施形態の封緘状態を示す斜視図である。
【図１０】第３の実施形態の要部縦断面図である。
【符号の説明】
【００３７】
１…ダンボール箱、２…側壁、３…端壁、４…外フラップ（上開閉面）、５…内フラップ（上開閉面）、６…外フラップ（下開閉面）、７…内フラップ（下開閉面）、８…糊代片、９…手掛け孔、１０…切り起しフラップ、１１…スリット、１２…切欠き、１３…切り起し。
【図１】
2008162639.tif 000003
【図２】
2008162639.tif 000004
【図３】
2008162639.tif 000005
【図４】
2008162639.tif 000006
【図５】
2008162639.tif 000007
【図６】
2008162639.tif 000008
【図７】
2008162639.tif 000009
【図８】
2008162639.tif 000010
【図９】
2008162639.tif 000011
【図１０】
2008162639.tif 000012